(57)【特許請求の範囲】
【請求項１】
光学像を投影する投影手段と、
再生モードと撮影モードとを切替え可能な電子カメラのアクセサリ装着部材に嵌合する取り付け部材と、
前記電子カメラとの間で通信する通信手段と、
前記電子カメラから送信された制御信号を前記通信手段を介して受信し、受信した前記制御信号に応じて前記投影手段を制御する制御手段と、を備え、
前記制御手段は、前記電子カメラが前記再生モードか前記撮影モードかの判定を行い、前記再生モードと判定した場合、前記電子カメラの撮影条件の調整をする操作部材、もしくは前記電子カメラの撮影を行う操作部材を操作すると送信される前記制御信号に応じて前記投影手段を制御することを特徴とする投影装置。
【請求項２】
請求項１に記載の投影装置において、
前記制御手段は、前記電子カメラが再生モードであることを示す信号が前記電子カメラから送信され、前記再生モードであると判定した場合、前記投影手段に投影を開始させ、前記電子カメラが撮影モードであることを示す信号が前記電子カメラから送信され、前記撮影モードであると判定した場合、前記投影手段に投影を終了させることを特徴とする投影装置。
【請求項３】
請求項１または請求項２に記載の投影装置において、
前記電子カメラの撮影を行う操作部材は、前記カメラのレリーズボタンであり、
前記制御手段は、前記レリーズボタンを操作すると前記電子カメラから送信されるフォーカス調節信号に応じて、前記投影手段にフォーカス調整させることを特徴とする投影装置。
【請求項４】
請求項１または請求項２に記載の投影装置において、
前記電子カメラの撮影条件の調整をする操作部材は、前記カメラのズームを調整するズーム操作部材であり、
前記制御手段は、前記ズーム操作部材を操作すると前記電子カメラから送信されるズーム調節信号に応じて、前記投影手段にズーム調節させることを特徴とする投影装置。
【請求項５】
請求項１〜４のいずれか一項に記載の投影装置において、
前記制御手段は、前記電子カメラから送信されたデータによる再生像を前記投影手段に投影させることを特徴とする投影装置。
【請求項６】
請求項５に記載の投影装置において、
前記制御手段は、前記電子カメラからのデータが前記通信手段で所定時間受信されない場合、前記投影手段に投影を終了させることを特徴とする投影装置。
【発明の詳細な説明】
【技術分野】
【０００１】
本発明は、光学像を投影する投影装置に関する。
【背景技術】
【０００２】
プロジェクタを搭載した電子カメラが知られている（特許文献１）。特許文献１によれば、プロジェクションモードスイッチやビデオ再生ボタンの操作によってプロジェクタによる投影が開始される。
【０００３】
【特許文献１】特開平８−１４６５１２号公報
【発明の開示】
【発明が解決しようとする課題】
【０００４】
プロジェクタをもたない電子機器にも、プロジェクタ機能を追加することが望まれる。
【課題を解決するための手段】
【０００５】
請求項１に記載の投影装置は、光学像を投影する投影手段と、再生モードと撮影モードとを切替え可能な電子カメラのアクセサリ装着部材に嵌合する取り付け部材と、前記電子カメラとの間で通信する通信手段と、前記電子カメラから送信された制御信号を前記通信手段を介して受信し、受信した前記制御信号に応じて前記投影手段を制御する制御手段と、を備え、前記制御手段は、前記電子カメラが前記再生モードか前記撮影モードかの判定を行い、前記再生モードと判定した場合、前記電子カメラの撮影条件の調整をする操作部材、もしくは前記電子カメラの撮影を行う操作部材を操作すると送信される前記制御信号に応じて前記投影手段を制御することを特徴とする。
請求項２に記載の投影装置は、請求項１に記載の投影装置において、前記制御手段は、前記電子カメラが再生モードであることを示す信号が前記電子カメラから送信され、前記再生モードであると判定した場合、前記投影手段に投影を開始させ、前記電子カメラが撮影モードであることを示す信号が前記電子カメラから送信され、前記撮影モードであると判定した場合、前記投影手段に投影を終了させることを特徴とする。
請求項３に記載の投影装置は、請求項１または請求項２に記載の投影装置において、前記電子カメラの撮影を行う操作部材は、前記カメラのレリーズボタンであり、前記制御手段は、前記レリーズボタンを操作すると前記電子カメラから送信されるフォーカス調節信号に応じて、前記投影手段にフォーカス調整させることを特徴とする。
請求項４に記載の投影装置は、請求項１または請求項２に記載の投影装置において、前記電子カメラの撮影条件の調整をする操作部材は、前記カメラのズームを調整するズーム操作部材であり、前記制御手段は、前記ズーム操作部材を操作すると前記電子カメラから送信されるズーム調節信号に応じて、前記投影手段にズーム調節させることを特徴とする。
請求項５に記載の投影装置は、請求項１〜４のいずれか一項に記載の投影装置において、前記制御手段は、前記電子カメラから送信されたデータによる再生像を前記投影手段に投影させることを特徴とする。
請求項６に記載の投影装置は、請求項５に記載の投影装置において、前記制御手段は、前記電子カメラからのデータが前記通信手段で所定時間受信されない場合、前記投影手段に投影を終了させることを特徴とする。
【発明の効果】
【０００６】
本発明による投影装置では、投影機能をもたない電子機器に対して容易に装着、投影できる。
本発明による電子カメラシステムによれば、投影機能もたない電子カメラに投影装置を容易に装着、投影できる。
【発明を実施するための最良の形態】
【０００７】
以下、図面を参照して本発明を実施するための最良の形態について説明する。図１は、本発明の一実施の形態による電子カメラシステムを前方から見た斜視図である。電子カメラシステムは、プロジェクタ２０および電子カメラ１０によって構成される。
【０００８】
（電子カメラ）
図１において、電子カメラ１０の正面に撮影レンズ１１が設けられている。電子カメラ１０の上面には、レリーズボタン１４と、ズームスイッチ１６と、モード切替ダイヤル１５と、メインスイッチ２２と、アクセサリシュー１１０とが設けられている。アクセサリシュー１１０には、プロジェクタ２０などが装着される。
【０００９】
モード切替えダイヤル１５は、撮影モードや再生モードなどの電子カメラ１０の動作モードを切替えるためのモード切替え操作部材である。撮影モードは、被写体像を撮影し、撮影した画像データをメモリカードなどで構成される記録媒体に撮影画像ファイルとして保存する動作モードである。静止画撮影の場合は静止画像ファイルが生成され、動画撮影の場合には動画像ファイルが生成される。撮影開始指示は、レリーズボタン１４の押下操作に応じて出力される操作信号が対応する。撮影モードでは、電子カメラ１０に内蔵されるマイクにより集音した音声のデータを、記録媒体に保存することも可能に構成されている。
【００１０】
再生モードは、撮影済みの画像データを記録媒体（たとえば、後述するメモリカード２００や不図示の内部メモリ）から読出すなどして、画像データによる再生画像を電子カメラ１０の背面に配設されている液晶表示器、もしくはアクセサリシュー１１０に装着されたプロジェクタ２０によって再生表示（投影）する動作モードである。再生モードでは、音声データによる音声を電子カメラ１０に内蔵されるスピーカから再生することも可能である。なお、再生モードでは、記録媒体以外から読出された画像データ（音声データ）や、電子カメラ１０の外部から供給される画像データ（音声データ）による再生画像や音声も、それぞれ表示（投影）、再生が可能である。
【００１１】
電子カメラ１０には、レンズ鏡筒Ｐをカメラ筐体内に沈胴させる沈胴機構も備えられている。
【００１２】
図２は、電子カメラシステムの構成を説明するブロック図である。図２において、電子カメラ１０は撮像部２２０と、ＣＰＵ１０１と、メモリ１０２と、操作部材１０３と、液晶表示器１０４と、スピーカ１０５と、マイク１０６と、外部インターフェイス(I/F)１０７と、電源回路１０８と、アクセサリシュー１１０を有し、バッテリー１０９およびメモリカード２００がそれぞれ装着されている。メモリカード２００は着脱可能である。
【００１３】
コントローラであるＣＰＵ１０１は、制御プログラムに基づいて、電子カメラ１０を構成する各部から入力される信号を用いて所定の演算を行うなどして、電子カメラ１０の各部に対する制御信号を送出することにより、撮影動作および再生動作の制御を行う。ＣＰＵ１０１はさらに、アクセサリシュー１１０を介してプロジェクタ２０との間で通信を行い、プロジェクタ２０による投影動作を制御することも可能に構成される。制御プログラムは、ＣＰＵ１０１内の不図示の不揮発性メモリに格納されている。
【００１４】
メモリ１０２はＣＰＵ１０１の作業用メモリとして使用される。操作部材１０３は、図１におけるメインスイッチ２２、レリーズボタン１４、ズームスイッチ１６、およびモード切替えダイヤル１５に対応し、レリーズボタン１４の押下操作に連動してオンする不図示の半押しスイッチや全押しスイッチを含む。半押しスイッチは、レリーズボタン１４の押下げ量が半押し操作量に達するとオンし、全押しスイッチは、レリーズボタン１４の押下げ量が半押し操作量より大きい全押し操作量に達するとオンする。操作部材１０３は、操作内容に対応する操作信号をＣＰＵ１０１へ送出する。
【００１５】
メモリカード２００はフラッシュメモリなどの不揮発性メモリによって構成され、ＣＰＵ１０１の指令によって撮像部２２０で撮影された画像データなどのデータの書き込み、保存および読み出しが可能である。
【００１６】
液晶表示器１０４は、ＣＰＵ１０１の指令により画像やテキストなどの情報を表示する。テキスト情報は、電子カメラ１０の動作状態、操作メニューなどである。スピーカ１０５は、ＣＰＵ１０１から出力される音声データによる音声を再生する。
【００１７】
マイク１０６は、集音した音声を電気信号に変換してＣＰＵ１０１へ送出する。音声信号のデータは、撮影モード時にメモリカード２００に記録される。
【００１８】
外部インターフェイス(I/F)１０７は、ビデオカメラなどの外部機器から送信されるビデオ信号による再生画像を液晶表示器１０４に表示させるために、ビデオ信号を画像データに変換し、変換後の画像データをＣＰＵ１０１へ送出する。また、外部インターフェイス(I/F)１０７は、外部機器から送信される音声信号による音声をスピーカ１０５で再生させるための音声データに変換し、変換後の音声データをＣＰＵ１０１へ送出する。
【００１９】
バッテリー１０９は電子カメラ１０内の各部へ電力を供給する。電源回路１０８はＤＣ／ＤＣ変換回路などで構成され、バッテリー１０９の電圧を電子カメラ１０内の各部で必要な電圧に変換する。電源回路１０８はさらに、アクセサリシュー１１０を介してプロジェクタ２０側へ電源供給することも可能に構成される。
【００２０】
電子カメラ１０のアクセサリシュー１１０にプロジェクタ２０の取り付け部１６０が装着されると、アクセサリシュー１１０および取り付け部１６０内の端子同士が接続されるように構成される。端子は、少なくとも制御信号端子（Control I/F）、データ信号端子(Data I/F)、および電源ライン端子を含む。電子カメラ１０およびプロジェクタ２０は、これらの端子を介して通信および電源供給を行う。
【００２１】
（撮像部）
撮像部２２０は、撮影レンズ２２１（図１において１１）と、イメージセンサ２２２と、レンズ駆動回路２２３と、撮影制御回路２２４と、鏡筒沈胴機構２２５とを含む。イメージセンサ２２２としては、ＣＣＤやＣＭＯＳ撮像素子などが用いられる。撮影制御回路２２４は、ＣＰＵ１０１からの指令によりイメージセンサ２２２およびレンズ駆動回路２２３を駆動制御するとともに、イメージセンサ２２２から出力される撮像信号（蓄積電荷信号）に対して所定の画像処理を行う。画像処理は、ホワイトバランス処理やガンマ処理などである。
【００２２】
撮影レンズ２２１は、イメージセンサ２２２の撮像面上に被写体像を結像させる。撮影制御回路２２４は、撮影開始指示に応じてイメージセンサ２２２に撮像を開始させ、撮像終了後にイメージセンサ２２２から蓄積電荷信号を読出し、上記画像処理を施した上で画像データとしてＣＰＵ１０１へ送出する。
【００２３】
レンズ駆動回路２２３は、撮影制御回路２２４から出力されるフォーカス調節信号に基づいて、撮影レンズ２２１を構成するフォーカスレンズ（不図示）を光軸方向に進退駆動する。また、レンズ駆動回路２２３は、撮影制御回路２２４から出力されるズーム調節信号に基づいて、撮影レンズ２２１を構成するズームレンズ（不図示）を光軸方向（テレ側もしくはワイド側）へ進退駆動する。フォーカス調節量およびズーム調節量は、ＣＰＵ１０１から撮影制御回路２２４へ指示される。
【００２４】
（カメラのフォーカス調節）
撮像部２２０は、撮影レンズ２２１を構成するフォーカスレンズを光軸方向にシフトすることにより、撮影レンズ２２１のフォーカス調節を行う。オートフォーカス調節を行う場合のＣＰＵ１０１は、イメージセンサ２２２で撮像された画像信号のうち、フォーカス検出エリア（たとえば撮影画面中央）に対応する画像信号についての高周波数成分の積算値（いわゆる焦点評価値）を最大にするように、フォーカス調節信号を撮影制御回路２２４へ送る。焦点評価値を最大にするフォーカスレンズの位置は、イメージセンサ２２２によって撮像される被写体像のエッジのボケをなくし、画像のコントラストを最大にする合焦位置である。
【００２５】
（カメラのズーム調節）
撮像部２２０は、投影レンズ１２１を構成するズームレンズを光軸方向にシフトすることにより、撮影レンズ２２１の光学ズーム調節を行う。ＣＰＵ１０１は、ズームスイッチ１６からの操作信号に応じてズーム調節信号を撮影制御回路２２４へ送る。ＣＰＵ１０１は、ズームスイッチ１６から右回し操作信号が入力された場合にズームアップするようにズーム調節信号を送り、ズームスイッチ１６から左回し操作信号が入力された場合にはズームダウンするようにズーム調節信号を送る。ズームスイッチ１６は、異なる２つの操作信号を択一的に出力するように構成される。
【００２６】
また、撮影制御回路２２４は、ＣＰＵ１０１からの指令に応じて鏡筒沈胴機構２２５へ指令を送り、撮影レンズ２２１の鏡筒Ｐ（図１）を電子カメラ１０の筐体内に沈胴させたり、筐体内に沈胴されている鏡筒Ｐを撮影時の状態（図１）まで繰出させたりする。
【００２７】
（プロジェクタ）  
投影装置であるプロジェクタ２０は、取り付け部１６０（図１）を電子カメラ１０のアクセサリシュー１１０に嵌合させることにより、電子カメラ１０に装着される。電子カメラ１０に装着されたプロジェクタ２０は、電子カメラ１０の前方に配設されるスクリーンなどに向けて投影レンズ１２１を介して投影光束を射出し、スクリーン上に画像などの情報を投影する。
【００２８】
図２において、プロジェクタ２０は投射部１２０と、ＣＰＵ１５１と、メモリ１５２と、操作部材１５３と、外部インターフェイス（Ｉ／Ｆ）１５５と、電源回路１５６と、スピーカ１５９と、検出スイッチ１０００とが備えられ、バッテリー１５７およびメモリカード１５４がそれぞれ装着されている。
【００２９】
コントローラであるＣＰＵ１５１は、制御プログラムに基づいて、プロジェクタ２０を構成する各部から入力される信号を用いて所定の演算を行うなどして、プロジェクタ２０の各部に対する制御信号を送出することにより、プロジェクタ２０の投影動作を制御する。制御プログラムは、ＣＰＵ１５１内の不図示の不揮発性メモリに格納されている。ＣＰＵ１５１は、プロジェクタ２０が投影する画像のデータに対する台形歪み補正（キーストン補正）を画像処理によって行う。
【００３０】
ＣＰＵ１５１はさらに、プロジェクタ２０が電子カメラ１０に装着された場合、取り付け部１６０およびアクセサリシュー１１０内の端子を介して電子カメラ１０のＣＰＵ１０１との間で通信を行う。
【００３１】
メモリ１５２はＣＰＵ１５１の作業用メモリとして使用される。操作部材１５３は、メインスイッチ、光源オン／オフスイッチなどを含み、各操作スイッチに対応する操作信号をＣＰＵ１５１へ送出する。
【００３２】
メモリカード１５４は不揮発性メモリによって構成され、不図示のカードスロットに着脱可能に構成されている。外部インターフェイス１５５は、ＣＰＵ１５１の指令により不図示のケーブルなどを介して外部機器との間でデータを送受信する。送受信するデータは、映像・音声データや、プロジェクタ２０に対する制御データである。
【００３３】
スピーカー１５９は、ＣＰＵ１５１から出力された音声信号による音声を再生する。バッテリー１５７はプロジェクタ２０内の各部へ電力を供給する。電源回路１５６はＤＣ／ＤＣ変換回路などで構成され、バッテリー１５７の電圧をプロジェクタ２０内の各部で必要な電圧に変換する。電源回路１５６は、取り付け部１６０内の端子を介して電子カメラ１０から供給される電力を使用することも可能に構成される。
【００３４】
検出スイッチ１０００は、取り付け部１６０がアクセサリシュー１１０へ装着されたことを検出し、検出信号をＣＰＵ１５１へする。取り付け部１６０がアクセサリシュー１１０に装着されていない場合には検出信号を出力しない。
【００３５】
（投射部）
投射部１２０は、投影レンズ１２１と、液晶パネル１２２と、ＬＥＤ光源１２３と、投射制御回路１２４と、レンズ駆動回路１２５とを含む。投射制御回路１２４は、ＣＰＵ１５１から出力される投影指令に応じてＬＥＤ光源１２３に駆動電流を供給する。ＬＥＤ光源１２３は、供給された電流に応じた明るさで液晶パネル１２２を照明する。なお、ＬＥＤ光源１２３は撮影時の照明光源としても使用される。
【００３６】
投射制御回路１２４はさらに、ＣＰＵ１５１から送出される画像データに応じて液晶パネル駆動信号を生成し、生成した駆動信号で液晶パネル１２２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源１２３からの光を変調することにより、液晶パネル１２２が光像を生成する。
【００３７】
投影レンズ１２１は、液晶パネル１２２から射出される光像をスクリーンなどへ向けて投影する。レンズ駆動回路１２５は、投射制御回路１２４から出力されるオフセット調節信号に基づいて、投影レンズ１２１を光軸に対して直交する方向へ進退駆動する。また、レンズ駆動回路１２５は、投射制御回路１２４から出力されるフォーカス調節信号に基づいて、投影レンズ１２１を構成するフォーカスレンズ（不図示）を光軸方向へ進退駆動する。レンズ駆動回路１２５はさらに、投射制御回路１２４から出力されるズーム調節信号に基づいて、投影レンズ１２１を構成するズームレンズ（不図示）を光軸方向へ進退駆動する。オフセット調節量、フォーカス調節量およびズーム調節量は、ＣＰＵ１５１から投射制御回路１２４へ指示される。
【００３８】
（投射像のオフセット）
投影レンズ１２１が光軸と直交する向きにシフトされることにより、投射部１２０から射出される光束の射出方向が変化し、投射像がオフセットされる。投射像のオフセットは、投影レンズ１２１をシフトさせて行う他にも、液晶パネル１２２、ＬＥＤ光源１２３を光軸に対して垂直方向にシフトさせて行う構成としてもよい。すなわち、投影レンズ１２１と液晶パネル１２２の相対的位置関係を光軸に垂直な方向に変化させることで、投射像のオフセットを実現できる。
【００３９】
（投射像のキーストン補正）
投影レンズ１２１、液晶パネル１２２、ＬＥＤ光源１２３の一部を光軸に対して垂直方向にシフトさせる際には、そのシフト量に応じて投影するデータに対するキーストン補正を行う。投射像に上記オフセットを与えるだけでは投射像が台形状に変化するので、ＣＰＵ１５１は、投射像を台形状から長方形状に補正するために画像処理による電気的なキーストン補正を施す。ＣＰＵ１５１内のメモリには、あらかじめ投射像を方形状に補正するための初期補正値が記憶されている。ＣＰＵ１５１は、オフセット調節量に対応する初期補正値を読み出し、読み出した初期補正値をもとに投影する像のデータに対するキーストン補正処理をメモリ１５２上で施し、キーストン補正処理後の画像データを投射制御回路１２４へ送出する。
【００４０】
（投射像のフォーカス調節）
投影レンズ１２１を構成するフォーカスレンズを光軸方向にシフトすることにより、投射部１２０は投射像のフォーカス調節を行う。マニュアルフォーカス調節を行う場合のＣＰＵ１５１は、操作部材１５３からの操作信号に応じてフォーカス調節信号を投射制御回路１２４へ送る。
【００４１】
（投射像のズーム調節）
投影レンズ１２１を構成するズームレンズを光軸方向にシフトすることにより、投射部１２０は投射像のズーム調節を行う。ＣＰＵ１５１は、操作部材１５３からの操作信号（または電子カメラ１０から送信される操作信号）に応じてズーム調節信号を投射制御回路１２４へ送る。
【００４２】
（投影ソース：source）
投射部１２０は、ＣＰＵ１５１の指令により下記ソース１．〜ソース４．のいずれかによるコンテンツを投影および再生する。ＣＰＵ１５１は、操作部材１５３（もしくは電子カメラ１０）からソース切替え操作信号が入力されるごとに、ソース１．〜ソース３．の投影画像をソース１．→２．→３．→１．…の順にサイクリックに切替えるように、各画像に対応する画像データを投射部１２０へ送出する。ただし、プロジェクタ２０にメモリカード１５４が装着されていない場合にはソース１．がスキップされる。また、プロジェクタ２０が電子カメラ１０のアクセサリシュー１１０に装着されていない場合、もしくはプロジェクタ２０が電子カメラ１０のアクセサリシュー１１０に装着されていても電子カメラ１０のメインスイッチがオフされている場合にはソース２．がスキップされる。また、外部インターフェイス(I/F)１５５に外部機器が接続されていない場合にはソース３．がスキップされる。
【００４３】
また、ＣＰＵ１５１は、装着されている電子カメラ１０からチャート投影への切替え指示信号が入力されると、下記ソース４．に対応する画像データを投射部１２０へ送出する。
【００４４】
ソース１．メモリカード１５４から読出したデータによる再生画像
ソース２．電子カメラ１０から送信されたデータによる再生画像
ソース３．外部インターフェイス(I/F)１５５から入力されたデータによる再生画像
ソース４．フォーカス調節用のチャートであり、たとえば、白地に黒線による縞模様で構成される画像
【００４５】
ＣＰＵ１５１は、上記ソース１．に対応する画像を投影する場合、記録日時が最も新しい（記録されている画像データの中で最後に撮影されたもの）画像データをメモリカード１５４から順に読出し、読出した画像データを投射部１２０へ送出する。
【００４６】
本実施形態による電子カメラシステムは、電子カメラ１０に装着されたプロジェクタ２０が、電子カメラ１０との間で通信しながら投影動作を行う。
【００４７】
（プロジェクタ側の処理）
図３は、プロジェクタ２０のＣＰＵ１５１が実行するプログラムによる処理の流れを説明するフローチャートである。図３による処理は、プロジェクタ２０のメインスイッチがオンされ、検出スイッチ１０００からの検出信号がＣＰＵ１５１へ入力されると起動する。
【００４８】
図３のステップＳ１において、ＣＰＵ１５１は、通信が成立したか否かを判定する。ＣＰＵ１５１は、所定の通信プロトコルを用いて電子カメラ１０側のＣＰＵ１０１との間で通信を行い、通信が成立すればステップＳ１を肯定判定してステップＳ２へ進む。ＣＰＵ１５１は、通信が成立しなければステップＳ１を否定判定し、ステップＳ１３へ進む。
【００４９】
ステップＳ１３へ進んだＣＰＵ１５１は通常処理を行う。通常処理は、プロジェクタ２０を電子カメラ１０に装着しないで使用する場合や、プロジェクタ２０が装着されている電子カメラ１０のメインスイッチがオフされている場合、およびプロジェクタ２０との間で通信する機能を備えていない電子カメラなどにプロジェクタ２０が装着されている場合の処理である。
【００５０】
通常処理を行うＣＰＵ１５１は、操作部１５３から入力される操作信号に応じて、投影オン／オフ、投影ソース切替え、マニュアルフォーカス調節、およびズーム調節処理をそれぞれ投射制御回路１２４へ指示する。具体的には、光源オン／オフスイッチからの操作信号が入力された場合、操作信号に応じてＬＥＤ光源１２３の点灯／消灯を指示する。ソース切替え操作信号が入力された場合には、上述したように、投射部１２０へ送出する画像データを切り替える。電子カメラ１０との間で通信が不成立の場合にプロジェクタ２０が投影する初期画像は、上記ソース１．のメモリカード１５４から読出した画像データによる再生画像とする。
【００５１】
また、マニュアルでフォーカス調節する操作信号が入力された場合のＣＰＵ１５１は、上述したように、操作信号に応じたフォーカス調節信号を投射制御回路１２４へ送る。ズーム調節する操作信号が入力された場合のＣＰＵ１５１は、上述したように、操作信号に応じたズーム調節信号を投射制御回路１２４へ送る。ＣＰＵ１５１は、このように通常処理を行うとステップＳ１１へ進む。
【００５２】
ステップＳ２へ進んだＣＰＵ１５１は、電子カメラ１０が再生モードに設定されているか否かを判定する。ＣＰＵ１５１は、通信によって電子カメラ１０が再生モードであることを示す信号を受信すると、ステップＳ２を肯定判定してステップＳ３へ進む。一方、ＣＰＵ１５１は、電子カメラが撮影モードであることを示す信号を受信すると、ステップＳ２を否定判定してステップＳ１４へ進む。
【００５３】
（電子カメラが再生モードの場合）  
ステップＳ３へ進む場合はＬＥＤ光源１２３を投影光源として用いる。ステップＳ３において、ＣＰＵ１５１は投影指示されたか否かを判定する。ＣＰＵ１５１は、投影に関して指示する信号が入力されるとステップＳ３を肯定判定してステップＳ４へ進み、投影に関して指示する信号が入力されない場合にはステップＳ３を否定判定し、ステップＳ５へ進む。投影に関して指示する信号は、電子カメラ１０から送信される制御信号、もしくは操作部材１５３からの操作信号である。
【００５４】
ステップＳ４において、ＣＰＵ１５１は、入力された信号に応じて投影開始もしくは投影終了を投射制御回路１２４へ指示してステップＳ５へ進む。なお、電子カメラ１０との間で通信が成立している場合にプロジェクタ２０がスクリーン（不図示）に向けて投影する初期画像は、上記ソース２．の電子カメラ１０から送信されたデータによる再生画像とする。
【００５５】
ステップＳ５において、ＣＰＵ１５１は、ソース切替えが指示されたか否かを判定する。ＣＰＵ１５１は、投影ソースの切替えを指示する信号が入力されるとステップＳ５を肯定判定してステップＳ６へ進み、投影ソースの切替えを指示する信号が入力されない場合にはステップＳ５を否定判定し、ステップＳ７へ進む。ソース切替えを指示する信号は、電子カメラ１０から送信される制御信号、もしくは操作部材１５３からの操作信号である。
【００５６】
ステップＳ６において、ＣＰＵ１５１は、入力された信号に応じて投射部１２０へ送出する画像データを切替え、ステップＳ７へ進む。送出する画像データは、ソース１．〜ソース３．のいずれかに対応するものである。ＣＰＵ１５１はさらに、投射部１２０へ送出する画像データに対応する音声信号をスピーカ１５９で再生させる。
【００５７】
ステップＳ７において、ＣＰＵ１５１は、ズーム調節を指示されたか否かを判定する。ＣＰＵ１５１は、ズーム調節を指示する信号が入力されるとステップＳ７を肯定判定してステップＳ８へ進み、ズーム調節を指示する信号が入力されない場合にはステップＳ７を否定判定し、ステップＳ９へ進む。ズーム調節を指示する信号は、電子カメラ１０から送信される制御信号、もしくは操作部材１５３からの操作信号である。
【００５８】
ステップＳ８において、ＣＰＵ１５１はズーム調節処理を行う。ＣＰＵ１５１は、上述したように、入力された信号に応じたズーム調節信号を投射制御回路１２４へ送出してステップＳ９へ進む。
【００５９】
ステップＳ９において、ＣＰＵ１５１は、オートフォーカス（ＡＦ）調節を指示されたか否かを判定する。ＣＰＵ１５１は、ＡＦ調節を指示する信号が入力されるとステップＳ９を肯定判定してステップＳ１０へ進み、ＡＦ調節を指示する信号が入力されない場合にはステップＳ９を否定判定し、ステップＳ１１へ進む。ＡＦ調節を指示する信号は、電子カメラ１０から送信される制御信号である。なお、電子カメラ１０における撮像部２２０のフォーカス調節は、あらかじめスクリーン（不図示）に対してピントが合うように行われている。
【００６０】
ステップＳ１０において、ＣＰＵ１５１はＡＦ調節処理を行う。ＣＰＵ１５１は、上記ソース１．〜ソース３．のいずれかの再生画像に代えて上記ソース４．のチャート画像データを投射制御回路１２４へ送り、チャート画像を投影させる。ＣＰＵ１５１はさらに、投影されたチャート画像を撮影する電子カメラ１０の撮像部２２０で得られる画像信号のうち、フォーカス検出エリア（たとえば撮影画面中央）に対応する画像信号についての高周波数成分の積算値（いわゆる焦点評価値）を最大にするように、フォーカス調節信号を投射制御回路１２４へ送る。焦点評価値の大きさを示す信号は、ＡＦ調節処理時に電子カメラ１０からプロジェクタ２０へデータ信号端子(Data I/F)を介して送信されるように構成されている。
【００６１】
上述したように、焦点評価値を最大にするフォーカスレンズの位置は、電子カメラ１０の被写体であるチャート投影像のエッジのボケをなくし、投影像のコントラストを最大にするフォーカス調節位置である。ＣＰＵ１５１は、ＡＦ調整処理を終了すると、ソース４．のチャート画像に代えて元の再生画像を投影させてステップＳ１１へ進む。
【００６２】
ステップＳ１１において、ＣＰＵ１５１は、オフ指示されたか否かを判定する。ＣＰＵ１５１は、操作部材１５３から電源オフを指示する操作信号が入力されるとステップＳ１１を肯定判定してステップＳ１２へ進み、電源オフを指示する操作信号が入力されない場合にはステップＳ１１を否定判定し、ステップＳ１へ戻る。
【００６３】
ステップＳ１２において、ＣＰＵ１５１は、投射制御回路１２４へ投影終了を指示するとともに、所定の電源オフ処理を行って図３による処理を終了する。
【００６４】
（電子カメラが撮影モードの場合）
ステップＳ１４へ進む場合はＬＥＤ光源１２３を撮影時の照明光源として用いる。この場合のＣＰＵ１５１は、投射制御回路１２４へ指令を送り、液晶パネル１２２の全画素について光の透過率を最大にさせておく。
【００６５】
ステップＳ１４において、ＣＰＵ１５１は発光指示されたか否かを判定する。ＣＰＵ１５１は、電子カメラ１０から送信された発光指示（制御信号）を受けるとステップＳ１４を肯定判定してステップＳ１５へ進み、発光指示を受けない場合にはステップＳ１４を否定し、ステップＳ１１へ進む。発光指示は、周知のＸ接点信号が対応する。
【００６６】
ステップＳ１５において、ＣＰＵ１５１は投射制御回路１２４へ指令を送り、ＬＥＤ光源１２３を所定光量発光させてステップＳ１１へ進む。これにより、被写体を照明する照明光が投影レンズ１２１から電子カメラ１０の前方へ向けて射出される。
【００６７】
なお、上記の例では全画素最大透過での照明として説明したが、カメラからの指令に基づき、任意の配光パターンでの照明も可能である。たとえば、ごく一部の領域のみを照明したり、照明色を変更するように構成してもよい。
【００６８】
（電子カメラ側の処理）
図４は、電子カメラ１０のＣＰＵ１０１が実行するプログラムによる処理の流れを説明するフローチャートである。図４による処理は、電子カメラ１０のメインスイッチがオンされ、モード切替えダイヤル１５からＣＰＵ１０１へ投影モードへの切替えを指示する操作信号が入力されると起動する。
【００６９】
図４のステップＳ５１において、ＣＰＵ１０１は、撮影制御回路２２４へ撮像部オフを指示してステップＳ５２へ進む。これにより、撮像部２２０における撮像動作が停止する。
【００７０】
ステップＳ５２において、ＣＰＵ１０１は、レンズ鏡筒Ｐが沈胴状態か否かを判定する。ＣＰＵ１０１は、撮影制御回路２２４から沈胴状態を示す信号を受けるとステップＳ５２を肯定判定してステップＳ５４へ進み、非沈胴状態を示す信号を受けた場合にはステップＳ５２を否定判定し、ステップＳ５３へ進む。
【００７１】
ステップＳ５３において、ＣＰＵ１０１は、撮影制御回路２２４へ沈胴指令（指示）を送出してステップＳ５４へ進む。ステップＳ５４において、ＣＰＵ１０１は、通信が成立したか否かを判定する。ＣＰＵ１０１は、所定の通信プロトコルを用いてプロジェクタ２０側のＣＰＵ１５１との間で通信を行い、通信が成立すればステップＳ５４を肯定判定してステップＳ５６へ進む。ＣＰＵ１０１は、通信が成立しなければステップＳ５４を否定判定し、ステップＳ５５へ進む。
【００７２】
ステップＳ５５へ進む場合のＣＰＵ１０１は、再生画像を液晶表示器１０４に表示させる。ステップＳ５５において、ＣＰＵ１０１は、液晶表示器１０４に再生表示を開始させてステップＳ５７へ進む。ステップＳ５７へ進む場合のＣＰＵ１０１は、プロジェクタ２０に対して制御信号やデータ等を送信しない。
【００７３】
ステップＳ５６へ進む場合のＣＰＵ１０１は、再生画像をプロジェクタ２０に投影させる。ステップＳ５６において、ＣＰＵ１０１は、プロジェクタ２０へ投影開始指示（制御信号）を送信するとともに、液晶表示器１０４による表示をオフさせてステップＳ５７へ進む。
【００７４】
ステップＳ５７において、ＣＰＵ１０１は、記録日時が最も新しい画像データをメモリカード２００から読出し、読出した画像データを再生用の画像データとする。ＣＰＵ１０１は、再生画像を液晶表示器１０４に表示させる場合は再生用画像データを液晶表示器１０４へ送信し、再生画像をプロジェクタ２０に投影させる場合には再生用画像データをプロジェクタ２０へ送信する。これにより、ＣＰＵ１０１が送出した画像データによる再生画像が液晶表示器１０４もしくはプロジェクタ２０によって再生表示（投影）される。なお、ＣＰＵ１０１は、投影中の画像のデータファイルに対応付けられて音声データが記憶されている場合、液晶表示器１０４による表示中には当該音声データによる音声をスピーカ１０５から再生する。また、プロジェクタ２０による投影中には当該音声データをプロジェクタ２０へ送信し、プロジェクタ２０側のスピーカ１５９から音声再生させる。
【００７５】
ステップＳ５８において、ＣＰＵ１０１は、コマ送り／コマ戻し操作が行われたか否かを判定する。ＣＰＵ１０１は、操作部材１０３からコマ送りもしくはコマ戻しを指示する操作信号が入力されるとステップＳ５８を肯定判定してステップＳ５７へ戻り、操作信号に対応する画像データをメモリカード２００から読出し、読出した画像データを再生用の画像データとする。一方、ＣＰＵ１０１は、操作部材１０３からコマ送りおよびコマ戻しを指示する操作信号がいずれも入力されない場合には、ステップＳ５８を否定判定してステップＳ５９へ進む。
【００７６】
ステップＳ５９において、ＣＰＵ１０１は、ソース切替え操作が行われたか否かを判定する。ＣＰＵ１０１は、操作部材１０３からソース切替えを指示する操作信号が入力されるとステップＳ５９を肯定判定してステップＳ６３へ進み、ソース切替えを指示する操作信号が入力されない場合にはステップＳ５９を否定判定してステップＳ６０へ進む。
【００７７】
ステップＳ６０において、ＣＰＵ１０１は、モード切替え操作が行われたか否かを判定する。ＣＰＵ１０１は、モード切替えダイヤル１５から撮影モードへ切替える操作信号が入力された場合、ステップＳ６０を肯定判定してステップＳ６１へ進む。また、ＣＰＵ１０１は、撮影モードへ切替える操作信号が入力されない場合にはステップＳ６０を否定判定し、ステップＳ６２へ進む。
【００７８】
ステップＳ６１において、ＣＰＵ１０１は、再生画像を液晶表示器１０４に表示させている場合は液晶表示器１０４による表示をオフさせ、再生画像をプロジェクタ２０に投影させている場合にはプロジェクタ２０による投影画像をオフさせて、図４による処理を終了する。プロジェクタ２０に投影画像をオフさせる場合、プロジェクタ２０へ投影終了指示（制御信号）を送信する。
【００７９】
ステップＳ６２において、ＣＰＵ１０１は、再生用画像データが記録画像か否かを判定する。ＣＰＵ１０１は、再生用画像データがメモリカード２００に記録されている記録画像である場合にステップＳ６２を肯定判定してステップＳ５８へ戻り、再生用画像データが外部インターフェイス(I/F)１０７から入力された画像である場合にはステップＳ６２を否定判定し、ステップＳ５９へ戻る。
【００８０】
ステップＳ６３において、ＣＰＵ１０１は、再生用の画像データを切替えてステップＳ６４へ進む。具体的には、ソース切替え操作が行われるごとに、メモリカード２００から読み出した画像データと、外部インターフェイス(I/F)１０７から入力された画像データとを切替えてステップＳ６４へ進む。
【００８１】
ステップＳ６４において、ＣＰＵ１０１は、再生用画像データが記録画像か否かを判定する。ＣＰＵ１０１は、再生用画像データがメモリカード２００に記録されている記録画像に切替えられた場合にステップＳ６４を肯定判定してステップＳ５７へ戻り、画像データをメモリカード２００から読出し、読出した画像データを再生用の画像データとする。一方、ＣＰＵ１０１は、再生用画像データが外部インターフェイス(I/F)１０７から入力された画像データに切替えられた場合には、ステップＳ６４を否定判定してステップＳ５９へ戻る。この場合はコマ送り／戻し操作の判定は不要である。
【００８２】
ＣＰＵ１０１は、上述したフローチャートのステップＳ５６以降、ステップＳ６０においてモード切替え操作を肯定判定するまで、レリーズボタン１４およびズームスイッチ１６を撮影モード時と異なる機能の操作部材として扱う。レリーズボタン１４の場合、撮影指示のための操作部材ではなく、プロジェクタ２０のオートフォーカス調節を指示したり、プロジェクタ２０に対して上記ソース４．のフォーカス調節用のチャート投影像へ切替え指示するための操作部材として扱われる。ズームスイッチ１６の場合は、撮像部２２０のズーム調節ではなく、プロジェクタ２０の投射部１２０のズーム調節のための操作部材として扱われる。
【００８３】
以上説明した実施形態によれば、次の作用効果が得られる。
（１）プロジェクタ２０を電子カメラ１０のアクセサリシュー１１０に装着して電子カメラシステムを構成するようにしたので、プロジェクタ２０の姿勢を安定させるとともに、電子カメラ１０が載置されるテーブル（不図示）などの平面から投影像が射出される投影レンズ１２１までの高さを稼ぐことができる。投影レンズ１２１の位置を高くすることにより、投影される光束の一部が載置平面でけられるおそれが少なくなる。
【００８４】
（２）電子カメラ１０とプロジェクタ２０とを通信可能に構成し、再生モードに設定されている電子カメラ１０との間で通信が成立した場合、電子カメラ１０からプロジェクタ２０へ投影開始指示（制御信号）および再生用のデータを送信し、当該再生用データによる再生画像をプロジェクタ２０が自動的に投影する（図４のステップＳ５６、図３のステップＳ４）ようにした。これにより、電子カメラ１０の液晶表示器１０４をオフ操作したり、プロジェクタ２０の投影ランプ（ＬＥＤ光源１２３）のオン操作や投影画像の選択操作を省略でき、電子カメラシステムの使い勝手がよくなる。
【００８５】
（３）上記（２）に加えて、電子カメラ１０が撮影モードに切替えられた場合に、電子カメラ１０からプロジェクタ２０へ投影終了指示（制御信号）を送信し、プロジェクタ２０が自動的に投影を終了する（図４のステップＳ６１、図３のステップＳ４）ようにした。これにより、プロジェクタ２０の投影ランプ（ＬＥＤ光源１２３）のオフ操作を省略でき、電子カメラシステムの使い勝手がよくなる。
【００８６】
（４）プロジェクタ付き電子カメラ１０は、プロジェクタ２０に再生投影を開始させたステップＳ５６以降、ステップＳ６０においてモード切替え操作を肯定判定するまで、レリーズボタン１４を撮影指示のための操作部材ではなく、プロジェクタ２０のオートフォーカス調節を指示したり、プロジェクタ２０に上記ソース４．のフォーカス調節用のチャート投影像へ切替え指示するための操作部材として扱うように機能変更し、ズームスイッチ１６を投射像のズーム調節のための操作部材として扱うように機能変更した。これにより、投影に関する新たな操作部材を追加しなくてもよい。
【００８７】
（変形例１）
上記電子カメラ１０は、メニュー設定などによってあらかじめ設定された内容に応じて、電子カメラ１０の電源オフ処理時（タイマーオフ時を含む）にプロジェクタ２０に対して電源オフ指示（制御信号）を送信するように構成してもよい。この場合の電子カメラ１０のＣＰＵ１０１は、操作部材１０３から電源オフを指示する操作信号が入力されると、プロジェクタ２０へ電源オフ指示を送信するとともに、電子カメラ１０に対する所定の電源オフ処理を行う。電源オフ指示を受けたプロジェクタ２０のＣＰＵ１５１は、投射制御回路１２４へ投影終了を指示するとともに、プロジェクタ２０に対する所定の電源オフ処理を行う。
【００８８】
（変形例２）
また、上記電子カメラ１０は、メニュー設定などであらかじめ設定された内容に応じて、電子カメラ１０の電源回路１０８からプロジェクタ２０の電源回路１５６へ電源を供給をする／しない、もしくはプロジェクタ２０のバッテリー１５７の残容量が不足した場合にのみ電源回路１０８から電源回路１５６へ電源を供給するなどの切替えを行うようにしてもよい。電源回路１０８から電源回路１５６への電源供給が許可されている場合のＣＰＵ１５１は、投射制御回路１２４へ指令を送り、ＬＥＤ光源１２３に供給する電流値を通常より増加させ、投影像が明るくなるように投射部１２０を制御してもよい。
【００８９】
（変形例３）
電子カメラ１０からプロジェクタ２０へ投影開始指示（制御信号）および再生用のデータを送信し、当該データによる再生画像をプロジェクタ２０が投影しているとき、プロジェクタ２０が電子カメラ１０からのデータを受信しない状態が所定時間続いた場合には、プロジェクタ２０が投影を終了するように構成してよい。この場合のＣＰＵ１５１は、投射制御回路１２４へ投影終了を指示してＬＥＤ光源１２３をオフさせる。
【００９０】
（変形例４）
電子カメラ１０およびプロジェクタ２０はアクセサリシュー１１０および取り付け部１６０内の端子を介して通信および電源供給を行うようにしたが、電子カメラ１０およびプロジェクタ２０間を接続ケーブルで接続し、この接続ケーブルを介して通信を行ったり、電源供給を行ったりするように構成してもよい。
【００９１】
（変形例５）
また、上記プロジェクタは電子カメラに接続しなくても単独で動作可能である。この場合は、内蔵するバッテリによって駆動し、ＣＰＵにより投射内容を制御する。投影ソースは、メモリカードに保存されているものでもよいし、外部Ｉ／Ｆを通じて供給される信号でもよい。単独で動作する場合は、回動可能な取り付け部を略９０度回転させる。取り付け部は、９０度回転させた位置でクリックにより停止するようになっている。その状態で、取り付け部の端面と、プロジェクタ筐体の下面とがほぼ一致するように構成されており、これらにより設置面を構成する。このように構成することにより、アクセサリシューを有する電子カメラにはそこで接続可能とする一方で、アクセサリシューを有していない電子カメラでも外部Ｉ／Ｆを通じて接続ができるようになり、使い勝手をよくできる。また、単独の小型プロジェクタとしても機能させることができる。
【００９２】
（変形例６）
さらにまた、電子カメラと接続し、電子カメラ内の画像データを通信により取得して投影する場合、投影時にその画像データをプロジェクタ側のメモリカードに保存（ＣＯＰＹ）してもよい。これにより、同じデータの二度目以降の投射時には、画像そのものを通信しなくてもよくなるので、レスポンスが早くなるというメリットがある。また、電子カメラから取り外して単独プロジェクタとして動作する場合にも、その画像データを使って投影できるという利点がある。
【００９３】
上述した説明では、プロジェクタ２０を電子カメラ１０のアクセサリシュー１１０に装着する例を説明したが、アクセサリシューを備える他の電子機器に装着するように構成してもよい。
【００９４】
以上の説明はあくまで一例であり、発明を解釈する上で、上記の実施形態の構成要素と本発明の構成要素との対応関係に何ら限定されるものではない。プロジェクタ部は、透過型液晶でも反射型液晶（ＬＣＯＳ）でもＤＭＤでもよい。
【図面の簡単な説明】
【００９５】
【図１】電子カメラシステムを前方から見た斜視図である。
【図２】電子カメラシステムの構成を説明するブロック図である。
【図３】プロジェクタのＣＰＵが実行するプログラムによる処理の流れを説明するフローチャートである。
【図４】電子カメラのＣＰＵが実行するプログラムによる処理の流れを説明するフローチャートである。
【符号の説明】
【００９６】
１０…電子カメラ
１１（２２１）…撮影レンズ
１４…レリーズボタン
１５…モード切替ダイヤル
１６…ズームスイッチ
２０…プロジェクタ
１０１、１５１…ＣＰＵ
１０３、１５３…操作部材
１０４…液晶表示器
１１０…アクセサリシュー
１２０…投射部
１２１…投影レンズ
１５４、２００…メモリカード
１６０…取り付け部
２２０…撮像部
【図１】
0005181416.tif 000002
【図２】
0005181416.tif 000003
【図３】
0005181416.tif 000004
【図４】
0005181416.tif 000005